(57)【要約】【課題】第１の周波数帯域（例えばＡＭラジオ放送帯域）及び第２の周波数帯域（例えばＦＭラジオ放送帯域）を受信する受信システムにおいて、アンテナ部分の構成が冗長になることを抑えながら、第１の周波数帯域の受信アンテナ用の給電線路に対する電磁ノイズの飛び込みを低減する。【解決手段】ＦＭアンテナ素子１２は、内側が空洞とされた筒形状を有する。ＡＭアンテナ素子１１用の給電線路１３はＦＭアンテナ素子１２の内部空洞を通って配線されており、ＡＭアンテナ素子１１の長手方向の少なくとも一部の径方向外側はＦＭアンテナ素子１２によって覆われている。受信機１５内のＦＭラジオチューナ１５２とＦＭアンテナ素子１２との間の給電経路は、インダクタンス素子１５４を介して接地部１５６に接続される。インダクタンス素子１５４は、ＡＭラジオ放送帯域に比べてＦＭラジオ放送帯域において相対的に高インピーダンスとなる周波数特性を有する。【選択図】図１
2011250156.tif 000002
【特許請求の範囲】
【請求項１】
第１の周波数帯域における受信周波数の選択を行う第１のチューナ部、及び前記第１の周波数帯域より高い第２の周波数帯域における受信周波数の選択を行う第２のチューナ部、を含む受信装置と、
前記第１の周波数帯域の電波を受信する第１のアンテナ素子と、
内側が空洞とされた筒形状を有し、前記第２の周波数帯域の電波を受信する第２のアンテナ素子と、
前記第２のアンテナ素子の前記空洞を通って前記第１のアンテナ素子と前記受信装置とを接続し、その長手方向の少なくとも一部の径方向外側が前記第２のアンテナ素子によって覆われた第１の給電線路と、
前記第２のアンテナ素子と前記受信装置とを接続する第２の給電線路と、
前記第２のアンテナ素子と前記第２のチューナ部との間の前記第２の給電線路を含む給電経路と、接地電位を有する接地部との間に接続され、前記第１の周波数帯域に比べて前記第２の周波数帯域において相対的に高インピーダンスであるインダクタンス素子と、
を備える受信システム。
【請求項２】
前記インダクタンス素子は、前記第１の周波数帯域の信号が前記接地部に流れ、前記第２の周波数帯域の信号が前記接地部に実質的に流れずに前記受信装置に供給されるように定められたインピーダンス特性を有する、請求項１に記載の受信システム。
【請求項３】
前記第１の給電線路は、前記第２のアンテナ素子の軸方向の長さより長い、請求項１又は２に記載の受信システム。
【請求項４】
前記第２のアンテナ素子は、前記第１の給電線路の長手方向のうち前記受信装置に近い側を部分的に覆うように配置されている、請求項３に記載の受信システム。
【請求項５】
前記第２のアンテナ素子は、前記第２の周波数帯域に含まれる代表周波数の波長の整数分の１の長さを有する、請求項１〜４のいずれか１項に記載の受信システム。
【請求項６】
前記第１の給電線路の前記第１のアンテナ素子に接続されていない側の端部、及び前記第２の給電線路の前記第２のアンテナ素子に接続されていない側の端部に接続されたＮ極（Ｎは２以上）のフォーンプラグをさらに備え、
前記受信装置は、Ｎ極のフォーンジャックをさらに含み、
前記インダクタンス素子は、前記受信装置に配置され、
前記フォーンプラグが前記フォーンジャックに差し込まれることで、前記第１及び第２のアンテナ素子と前記受信装置及び前記インダクタンス素子との間が電気的に接続されるよう構成されている、
請求項１〜５のいずれか１項に記載の受信システム。
【請求項７】
前記インダクタンス素子は、前記第１の無線周波数帯域におけるインピーダンスが第１の基準値より小さくなるように調整されている、請求項１〜６のいずれか１項に記載の受信システム。
【請求項８】
前記第１の周波数帯域はＡＭラジオ放送周波数帯域であり、
前記第２の周波数帯域はＦＭラジオ放送周波数帯域である、
請求項１〜７のいずれか１項に記載の受信システム。
【発明の詳細な説明】
【技術分野】
【０００１】
本発明は、第１の周波数帯域（例えばＡＭラジオ放送帯域）の電波を受信するアンテナ及び第２の周波数帯域（例えばＦＭラジオ放送帯域）の電波を受信するアンテナを有し、第１及び第２の周波数帯域の無線信号を共に受信可能な受信システムに関する。
【背景技術】
【０００２】
２つの異なる周波数帯域、例えばＡＭラジオ放送帯域（以下、ＡＭ帯）及びＦＭラジオ放送帯域（以下、ＦＭ帯）の電波を共に受信可能な受信システムが知られている。当該受信システムの典型的な構成を図５に示す。図５に記載された受信システム５は、ＡＭ帯の電波を受信可能なＡＭアンテナ素子５１、及びＦＭ帯の電波を受信可能なＦＭアンテナ素子５２を含む。日本のＡＭラジオ放送の電波は、ＭＦ（Medium Frequency）帯（具体的には５３１〜１６０２ｋＨｚ）の搬送波を振幅変調（ＡＭ：Amplitude Modulation）することで生成される。また、日本のＦＭラジオ放送の電波は、ＶＨＦ（Very High Frequency）帯（具体的には、７６〜９０ＭＨｚ）の搬送波を周波数変調（ＦＭ：Frequency Modulation）することで生成される。
【０００３】
ＭＦ帯の電波を受信するＡＭアンテナ素子５１としては、ループアンテナ又はバーアンテナ等の平衡アンテナが使用されることが多い。図５は、ＡＭアンテナ素子５１がループアンテナである場合を示している。ループアンテナは、樹脂製の枠に設けられた凹型の溝に絶縁被覆付きの導線を１０数回程度巻いた構造を有する。ＡＭアンテナ素子５１は、受信装置５５のアンテナ端子５６に給電線路５３によって接続される。ＡＭアンテナ素子５１がループアンテナ又はバーアンテナ等の平衡アンテナである場合、ツイストペア線又は平行２線式フィーダ線などの平衡線路が給電線路５３として使用される。給電線路５３の長さは、典型的には、１〜１．５ｍ程度である。
【０００４】
ＶＨＦ帯の電波を受信するＦＭアンテナ素子５２としては、モノポールアンテナ（つまり不平衡アンテナ）が使用されることが多い。例えば家庭用のオーディオ装置では、簡易な構造のＦＭアンテナ素子５２として、ＦＭ帯の波長の１／４から１／２程度（０．８〜２ｍ程度）の長さの導線が使用される。また、不平衡型のＦＭアンテナ素子５２としては、ロッドアンテナ等も使用される。ＦＭアンテナ素子５２は、受信装置５５のアンテナ端子５７に給電線路５４によって接続される。ＦＭアンテナ素子５２が不平衡アンテナである場合、同軸ケーブル等の不平衡線路が給電線路５４として使用される。
【０００５】
受信装置５５は、ＡＭアンテナ素子５１及びＦＭアンテナ素子５２による受信信号をアンテナ端子５６及び５７を介して受信する。受信装置５５は、ＡＭラジオチューナ機能及びＦＭラジオチューナ機能を有しており、ユーザ操作等によって指定されるチャンネルに同調して復調処理を行う。
【０００６】
なお、特許文献１は、ＡＭ帯の電波を受信する第１のアンテナ素子と、ＡＭ帯及びＦＭ帯の電波を受信する第２のアンテナ素子が給電線路を介して受信装置に接続された受信システムを開示している。第２のアンテナ素子は内側が空洞とされた円筒形状を有している。そして、第１のアンテナ素子の給電線路の一端は、円筒形状の第２のアンテナ素子の空洞部分を通って第１のアンテナ素子に接続されている。第１のアンテナ素子の給電線路の他端には、ＡＭ帯の信号を取り出すフィルタが接続されている。当該フィルタを通過した後の第１のアンテナ素子による受信信号と、第２のアンテナ素子による受信信号は、合成された後に受信装置に供給される。特許文献１に開示された受信システムは、第１及び第２のアンテナ素子の受信信号を合成することで、ＡＭ帯電波の受信感度を向上させている。
【０００７】
また、特許文献２は、１つのアンテナ素子（例えばヘリカルアンテナ）をＡＭ帯電波及びＦＭ帯電波の受信に兼用する技術を開示している。具体的には、特許文献２に記載のアンテナ装置は、アンテナ素子と給電用の同軸ケーブルの間に、ＦＭ帯通過回路とＡＭ帯並列共振回路とが並列接続された構造を持つ。ここで、ＦＭ帯通過回路は、ＦＭ帯に対して低インピーダンスとなりＡＭ帯に対して高インピーダンスとなる。また、ＡＭ帯並列共振回路は、ＡＭ帯信号をアンテナ素子の容量及び同軸ケーブルの容量とともに並列共振させる。ＦＭ帯通過回路は、典型的には、容量性素子を含む。ＡＭ帯並列共振回路は、典型的には、ＦＭ帯信号を遮断するインダクタ素子、及びマッチングトランス回路を含む。
【先行技術文献】
【特許文献】
【０００８】
【特許文献１】特開平５−３７２２４号公報
【特許文献２】特開２００１−３６３２８号公報
【発明の概要】
【発明が解決しようとする課題】
【０００９】
昨今のオーディオ装置（図５では受信装置５５）は、電源回路部分にスイッチング電源を用いるものや、デジタル信号処理プロセッサ又はカラー液晶表示部などを有するものが増えている。このような場合、オーディオ装置から外部に放射される電磁ノイズがＡＭアンテナ素子５１やＡＭアンテナ用の給電線路５３に飛び込むことで、ＡＭ帯電波の受信性能を劣化させるという問題がある。また、最近普及しているホームシアターシステムではテレビジョン受像装置及びオーディオ装置を間近に配置して使用する。このため、テレビジョン受像装置から外部に放射される電磁ノイズのＡＭアンテナ素子５１及び給電線路５３への飛び込みがＡＭ帯電波の受信性能を劣化させるという問題がある。
【００１０】
本願の発明者等は、上述したＡＭ帯電波の受信性能劣化の解決について検討を行った。上述したＡＭ受信性能の劣化要因のうち、ＡＭアンテナ素子５１への電磁ノイズの飛び込みは、給電線路５３の長さを長くし、ＡＭアンテナ素子５１をオーディオ装置及びテレビジョン受像装置から遠ざけて配置することで低減することができる。しかしながら、ＡＭアンテナ素子５１をオーディオ装置及びテレビジョン受像装置から遠ざけるだけでは、ＡＭアンテナ素子５１とオーディオ装置（受信装置５５）を接続する給電線路５３への電磁ノイズの飛び込みは低減されない。特に、給電線路５３の全長のうち、オーディオ装置（受信装置５５）のアンテナ端子５６付近の部分への電磁ノイズの飛び込みが問題となる。
【００１１】
給電線路５３に対する電磁ノイズの飛び込みを低減するためには、接地された導体によって給電線路５３をシールドすればよい。しかしながら、ＡＭアンテナ素子５１及びＦＭアンテナ素子５２に加えて給電線路５３のシールドを設けたのでは、受信システム５の全体構成（特にアンテナ部分の構成）が冗長になるという問題がある。
【００１２】
なお、特許文献１及び２は、アンテナ部分の構成が冗長になることを抑えながら、ＡＭアンテナ素子５１用の給電線路５３に対する電磁ノイズの飛び込みを低減するための構成について何ら開示していない。
【００１３】
また、上述した問題は、ＡＭ帯とＦＭ帯を受信する場合に限られない。つまり、第１の周波数帯域の電波とこれより周波数の高い第２の周波数帯域の電波を共に受信する受信システムにおいて一般的に問題となる。
【００１４】
本発明は、本願の発明者等による上述の知見に基づいてなされたものであり、第１及び第２の周波数帯域を受信する受信システムにおいて、アンテナ部分の構成が冗長になることを抑えながら、第１の周波数帯域の受信アンテナ用の給電線路（図５では、ＡＭアンテナ素子５１用の給電線路５３）に対する電磁ノイズの飛び込みを低減することを目的とする。
【課題を解決するための手段】
【００１５】
上記目的を達成するために、第１の発明に係る受信システム（１）は、第１の周波数帯域における受信周波数の選択を行う第１のチューナ部（１５１）、及び前記第１の周波数帯域より高い第２の周波数帯域における受信周波数の選択を行う第２のチューナ部（１５２）、を含む受信装置（１５）と、前記第１の周波数帯域の電波を受信する第１のアンテナ素子（１１）と、内側が空洞とされた筒形状を有し、前記第２の周波数帯域の電波を受信する第２のアンテナ素子（１２）と、前記第２のアンテナ素子（１２）の前記空洞を通って前記第１のアンテナ素子（１１）と前記受信装置（１５）とを接続し、その長手方向の少なくとも一部の径方向外側が前記第２のアンテナ素子（１２）によって覆われた第１の給電線路（１３）と、前記第２のアンテナ素子（１２）と前記受信装置（１５）とを接続する第２の給電線路（１４）と、前記第２のアンテナ素子（１２）と前記第２のチューナ部（１５２）との間の前記第２の給電線路（１４）を含む給電経路と、接地電位を有する接地部（１５６）との間に接続され、前記第１の周波数帯域に比べて前記第２の周波数帯域において相対的に高インピーダンスであるインダクタンス素子（１５４）と、を備える。
【００１６】
また、第２の発明に係る受信システム（１）は、上述の第１の発明であって、前記インダクタンス素子（１５４）は、前記第１の周波数帯域の信号が前記接地部（１５６）に流れ、前記第２の周波数帯域の信号が前記接地部（１５６）に実質的に流れずに前記受信装置（１５）に供給されるように定められたインピーダンス特性を有するものである。
【００１７】
また、第３の発明に係る受信システム（１）は、上述の第１又は第２の発明であって、前記第１の給電線路（１３）は、前記第２のアンテナ素子（１２）の軸方向の長さより長いものである。
【００１８】
また、第４の発明に係る受信システム（１）は、上述の第３の発明であって、前記第２のアンテナ素子（１２）は、前記第１の給電線路（１３）の長手方向のうち前記受信装置（１５）に近い側を部分的に覆うように配置されているものである。
【００１９】
また、第５の発明に係る受信システム（１）は、上述の第１から第４のいずれか１つの発明であって、前記第２のアンテナ素子（１２）は、前記第２の周波数帯域に含まれる代表周波数の波長の整数分の１の長さを有するものである。
【００２０】
また、第６の発明に係る受信システム（１）は、上述の第１から第５のいずれか１つの発明であって、前記第１の給電線線路（１３）の前記第１のアンテナ素子（１１）に接続されていない側の端部、及び前記第２の給電線路（１４）の前記第２のアンテナ素子（１２）に接続されていない側の端部に接続されたＮ極（Ｎは２以上）のフォーンプラグ（２００）をさらに備え、前記受信装置（１５）は、Ｎ極のフォーンジャック（１６）をさらに含み、前記インダクタンス素子（１５４）は、前記受信装置（１５）に配置され、前記フォーンプラグ（２００）が前記フォーンジャック（１６）に差し込まれることで、前記第１及び第２のアンテナ素子（１１及び１２）と前記受信装置（１５）及び前記インダクタンス素子（１５４）との間が電気的に接続されるよう構成されているものである。
【００２１】
また、第７の発明に係る受信システム（１）は、上述の第１から第６のいずれか１つの発明であって、前記インダクタンス素子（１５４）は、前記第１の無線周波数帯域におけるインピーダンスが第１の基準値より小さくなるように調整されているものである。
【００２２】
また、第８の発明に係る受信システム（１）は、上述の第１から第７のいずれか１つの発明であって、前記第１の周波数帯域はＡＭラジオ放送周波数帯域であり、前記第２の周波数帯域はＦＭラジオ放送周波数帯域であるものである。
【発明の効果】
【００２３】
上述した第１から第８の発明によれば、アンテナ部分の構成が冗長になることを抑えながら、第１の周波数帯域の受信アンテナ用の給電線路（図５では、ＡＭアンテナ素子５１用の給電線路５３）に対する電磁ノイズの飛び込みを低減することができる。
【図面の簡単な説明】
【００２４】
【図１】本発明の実施の形態１に係る受信システムの全体構成例を示す模式図である。
【図２】図１に示したアンテナ部１０の構成例を示す図である。
【図３】図１に示した受信装置１５の構成例を示す図である。
【図４】図１に示したアンテナ部１０の他の構成例を示す図である。
【図５】背景技術に係る受信システムの全体構成例を示す模式図である。
【発明を実施するための形態】
【００２５】
以下では、本発明を適用した具体的な実施の形態について、図面を参照しながら詳細に説明する。各図面において、同一要素には同一の符号が付されており、説明の明確化のため、必要に応じて重複説明は省略される。
【００２６】
＜発明の実施の形態１＞
本実施の形態にかかる受信システム１の構成例を図１に示す。図１において、アンテナ部１０は、ＡＭ帯電波を受信するＡＭアンテナ素子１１と、ＦＭ帯電波を受信するＦＭアンテナ素子１２を含む。ＡＭアンテナ素子１１は、特に限定されるものでなく、ＡＭ帯電波を受信可能な公知の平衡アンテナ又は不平衡アンテナとすればよい。図１の例では、ＡＭアンテナ素子１１を、図５に示したＡＭアンテナ素子５１と同様に、平衡型のループアンテナとした場合を示している。ＡＭアンテナ素子１１は、給電線路１３によって受信装置１５に設けられたアンテナ端子１６に接続されている。
【００２７】
ＦＭアンテナ素子１２は、内側が空洞とされた筒形状を有する導体により構成されている。ＦＭアンテナ素子１２は、給電線路１４によってアンテナ端子１６に接続されている。なお、上述したＡＭアンテナ素子１１用の給電線路１３は、ＦＭアンテナ素子１２の内側の空洞を通って、アンテナ端子１６とＡＭアンテナ素子１１の間を接続している。これにより、給電線路１３の長手方向の全体のうち少なくとも一部の径方向外側は、ＦＭアンテナ素子１２によって覆われている。詳細については後述するが、ＦＭアンテナ素子１２はＡＭ帯において電磁シールドとして機能するため、ＦＭアンテナ素子１２によって覆われた給電線路１３は、外部からの電磁ノイズに対して遮蔽される。
【００２８】
なお、給電線路１３とＦＭアンテナ素子１２は、電気的に絶縁されていればよい。このため、給電線路１３は、ＦＭアンテナ素子１２の空洞部の内壁から離間していてもよいし、ＦＭアンテナ素子１２の空洞部の内壁に絶縁体（例えばツイストペア線の絶縁被覆）を介して接してもよい。また、ＦＭアンテナ素子１２は円筒形状である必要はない。ＦＭアンテナ素子１２は、任意の断面形状を持つ筒形状であればよく、例えば給電線路１３を被覆する同軸シールド線のシールド部であってもよい。
【００２９】
受信装置１５は、後述するＡＭラジオチューナ部１５１及びＦＭラジオチューナ部１５２を有しており、ユーザ操作等によって指定されるチャンネルに同調して復調処理を行う。受信装置１５は、給電線路１２及び１３を接続可能なアンテナ端子１６を有する。
【００３０】
続いてアンテナ部１０の詳細構成について説明する。図２は、アンテナ部１０の構成例を示す図である。図２の例では、給電線路１３をツイストペア線としている。しかしながら、ツイストペア線は平衡線路の一例にすぎず、平行２線式フィーダ線などの他の平衡線路を給電線路１３として用いてもよい。また、ＡＭアンテナ素子１１が不平衡アンテナである場合、任意の不平衡線路を給電線路１３として用いてもよい。上述したように、給電線路１３は、ＦＭアンテナ素子１２の内部空洞を通ってＡＭアンテナ素子１１に接続されている。給電線路１４には、任意のケーブルを用いればよい。
【００３１】
図２の例では、給電線路１３及び１４の受信装置１５側の端部に３端子のフォーンプラグ２０が接続されている。この場合、受信装置１５に設けられるアンテナ端子１６をフォーンジャックとすればよい。フォーンプラグ２０がフォーンジャック（アンテナ端子１６）に差し込まれることで、アンテナ素子１１及び１２と受信装置１５内のＡＭ及びＦＭラジオチューナ部１５１及び１５２の間が電気的に接続される。フォーンプラグ２０のチップ部２０１、リング部２０２、及びスリーブ部２０３の間は、絶縁リング２０４及び２０５によって絶縁されている。図２の例では、チップ部２０１にツイストペア線（給電線路１３）の一方が接続され、リング部２０２にツイストペア線（給電線路１３）の他方が接続されている。また、フォーンプラグ２０のスリーブ部２０３に給電線路１４が接続されている。
【００３２】
図２の例によれば、アンテナ素子１１及び１２と受信装置１５との接続を一対のフォーンジャック及びフォーンプラグで行うことができる。このため、アンテナ部１０と受信装置１５との接続および取り外しを容易に行うことができる。また、受信装置１５に設けるアンテナ端子１６が１つのフォーンジャックで済むため、アンテナ端子の配置に要する面積を削減でき、受信装置の小型化に寄与することができる。なお、チップ部２０１、リング部２０２、及びスリーブ部２０３と給電線路１３及び１４の間の接続は、図２に示した組合せに限られないことは勿論である。また、フォーンプラグ２０の端子数は、給電線路１３及び１４の線数に応じて定めればよく、２端子であってもよいし、４端子以上であってもよい。さらには、ＦＭアンテナ素子１２が給電線路１３とともに形成される同軸シールド線のシールド部である場合、ＦＭアンテナ素子１２に対して別途給電線路１４を設けずにＦＭアンテナ素子１２を直接スリーブ部２０３に接続してもよい。
【００３３】
以下では、給電線路１３の長手方向の長さＬ１及びＦＭアンテナ素子１２の長手方向の長さＬ２と、ＦＭアンテナ素子１２の配置について説明する。受信装置１５（オーディオ装置）などのノイズ源からＡＭアンテナ素子１１への電磁ノイズの飛び込みを低減するためには、ＡＭアンテナ素子１１を受信装置１５から遠ざけて配置できるように給電線路１３の長さＬ１を長くするとよい。例えば、ＡＭアンテナ用の給電線路の典型的な長さである１〜１．５ｍより長い、２〜３ｍ又はそれ以上の長さとするとよい。受信装置１５（オーディオ装置）及びテレビジョン受像装置等のノイズ源から放射される電磁ノイズの電界強度は距離に反比例する。このため、給電線路１３の長さＬ１を長くすれば、例えばＬ１を２〜３ｍとすれば、ＡＭアンテナ素子１１に飛び込む電磁ノイズを十分に低減することができる。
【００３４】
一方、ＦＭ帯の電波の受信感度を高めるために、ＦＭアンテナ素子１２の長手方向（軸方向）の長さＬ２は、ＦＭ帯の波長の１／４から１／２の間とするとよい。日本のＦＭラジオ放送周波数帯域（ＦＭ帯）は７６〜９０ＭＨｚであるから、ＦＭ帯の波長の１／４から１／２の長さは、０．８〜２ｍ程度である。ＦＭアンテナ素子１２の長手方向の長さＬ２は、具体的には７６〜９０ＭＨｚの中心周波数である８３ＭＨｚを代表周波数として設定し、代表周波数の波長の１／４である場合は０．９ｍ、１／２である場合は１．８ｍとする。
【００３５】
以上に述べたように長さＬ１及びＬ２を定めると、給電線路１３の長手方向の全体をＦＭアンテナ素子１２によって覆うことはできない。この場合、図２に示すように、ＡＭ帯用の給電線路１３の受信装置１５側、つまりフォーンプラグ２０側を覆うようにＦＭアンテナ素子１２を配置するとよい。より具体的には、給電線路１３の長手方向の全体のうち、フォーンプラグ２０側の終了端から長さＬ２までの部分を覆うようにＦＭアンテナ素子１２を配置するとよい。電磁ノイズの電界強度はノイズ源（受信装置１５（オーディオ装置）及びテレビジョン受像装置等）に近いほど大きい。このため、給電線路１３の全体のうち受信装置１５に近い側をＦＭアンテナ素子１２によって優先的にシールドすることで、電磁ノイズによるＡＭ帯電波の受信品質の低下を効果的に抑制できる。このように、長さＬ１を長さＬ２より長くするとともに、ＦＭアンテナ素子１２を受信装置１５に近い側に配置することで、ＦＭアンテナ素子１２による電磁シールド効果を得るとともに、受信機１５が配置されるオーディオ装置又はテレビジョン受像装置等のノイズ源からＡＭアンテナ素子１１を遠ざけることが容易である。
【００３６】
続いて以下では受信装置１５の詳細構成について説明する。図３は、受信装置１５の構成例を示す図である。図３の例では、図２に示したフォーンプラグ２０に合わせて、アンテナ端子１６をフォーンジャックとした場合を示している。接点金具１６１は、フォーンプラグ２０のチップ部２０１と物理的及び電気的に接触する。同様に、接点金具１６２は、フォーンプラグ２０のリング部２０２と接触する。また、スリーブ形状の接点金具１６３は、フォーンプラグ２０のスリーブ部２０３と接触する。
【００３７】
ＡＭラジオチューナ１５１は、ＡＭアンテナ素子１１による受信信号を受信し、ユーザ操作等によって指定されるチャンネルに同調して復調処理を行う。また、ＦＭラジオチューナ１５２は、ＦＭアンテナ素子１２による受信信号を受信し、ユーザ操作等によって指定されるチャンネルに同調して復調処理を行う。マッチングトランス１５３は、ＡＭアンテナ素子１１側の給電線路１３とＡＭラジオチューナ１５１の線路との間で、平衡−不平衡変換およびインピーダンス整合を行う。
【００３８】
インダクタンス素子１５４は、接点金具１６３及びＦＭラジオチューナ１５２の間を接続する線路１５５と接地電位（グランド）を有する接地部１５６との間に接続されている。接地部１５６は、例えば、受信装置１５の筐体に設けられたアース端子、又は電源コンセント（アウトレット）に設けられたアース端子に接続されている。また、接地部１５６は、地中に埋め込まれたアース棒等に接続されていてもよい。
【００３９】
インダクタンス素子１５４は、ＡＭ帯に比べて２桁程度高周波であるＦＭ帯において相対的に高インピーダンスである。具体的には、インダクタンス素子１５４のインピーダンス周波数特性は、ＡＭ帯の信号、又はＡＭ帯及びＡＭ帯より周波数の低い信号がグランド側に流れ、ＦＭ帯の信号がグランド側に実質的に流れずＦＭラジオチューナ１５２側に供給されるように定めるとよい。より具体的には、インダクタンス素子１５４は、ＡＭ帯において十分に低インピーダンスであればよく、インダクタンス素子１５４のインピーダンス周波数特性は、ＡＭ帯におけるインピーダンスが１Ω程度になるように定めるとよい。これにより、ＡＭ帯においては、実質的にＦＭアンテナ素子１２を直接接地したのと同等とみなすことができ、ＦＭアンテナ素子１２をＡＭ帯における電磁シールドとして利用することができる。インダクタンス素子１５４には、一般的なチョークコイル、例えば、巻き線コイル、スクリーン印刷によって巻き線パタンが形成された積層コイル、半導体製造技術（スパッタリング及び蒸着等）を用いて巻き線パタンが形成された薄膜コイル、又はリードインダクタ等を用いればよい。
【００４０】
本実施の形態によれば、ＦＭアンテナ素子１２を、ＡＭ帯における電磁シールドとして兼用することができる。このため、アンテナ部１０の構成が冗長になることを抑えながら、受信装置１５が配置されるオーディオ装置又はテレビジョン受像装置等のノイズ源からの電磁ノイズの給電線路１３への飛び込みを低減することができる。
【００４１】
＜発明の実施の形態２＞
本実施の形態では、アンテナ部１０の変形例について説明する。本実施の形態に係る受信システムの全体構成は、図１に示した受信システム１の構成と同様とすればよい。また、本実施の形態に係る受信システムが有する受信装置１５の構成は、図３に示した構成と同様とすればよい。
【００４２】
本実施の形態に係る受信システムが有するアンテナ部１０の構成例を図４に示す。図４の例では、給電線路１３のＡＭアンテナ素子１１に近い側をツイストペア線とし、受信装置１５（つまりフォーンプラグ２０）に近い側を一対の平行導線としている。このうち一対の平行導線の部分は、ＡＭ帯の電磁シールドとして機能するＦＭアンテナ素子１２Ａ及び１２Ｂによって覆われている。ＦＭアンテナ素子１２Ａ及び１２Ｂのそれぞれは、内側が空洞とされた筒形状を有している。
【００４３】
ＦＭアンテナ素子１２Ａ及び１２Ｂは、給電線路１４により電気的に接続されている。給電線路１４は、図２に示した構成と同様に、フォーンプラグ２０のスリーブ部２０３に接続されている。図４に示した構成によっても、ＦＭアンテナ素子１２Ａ及び１２Ｂのシールド効果によって、給電線路１３への電磁ノイズの飛び込みを低減できる。また、給電線路１３の全体のうち受信装置１５（つまりフォーンプラグ２０）に近い側をＦＭアンテナ素子１２Ａ及び１２Ｂによって優先的にシールドすることで、受信装置１５（オーディオ装置）及びテレビジョン受像装置等が放射する電磁ノイズによるＡＭ帯電波の受信品質の低下を効果的に抑制できる。
【００４４】
＜その他の実施の形態＞
図２及び４には、アンテナ端子１６との接続部としてフォーンプラグ２０を使用する例を示した。これにより、アンテナ部１０の取り付け・取り外しが容易であり、アンテナ端子１６の設置面積を削減できる。しかしながら、給電線路１３及び１４に設けるアンテナ端子１６との接続部は、フォーンプラグでなくてもよい。例えば、アンテナ端子１６との接続部として他の電気コネクタを用いてもよい。また、例えば、給電線路１３及び１４の絶縁被覆を取り去ることで剥き出しとされた導線部分を、アンテナ端子１６との接続部としてもよい。
【００４５】
また、発明の実施の形態１及び２では、ＡＭ帯及びＦＭ帯の電波を受信する受信システムについて説明した。しかしながら、実施の形態１及び２で説明した受信システムの構成は、ＡＭ帯及びＦＭ帯の組合せに限らず、異なる２つの無線周波数帯域の電波を受信する受信システムにも適用可能である。
【００４６】
また、図３の例では、インダクタンス素子１５４を受信装置１５内に配置する例を示した。しかしながら、インダクタンス素子１５４は、ＦＭアンテナ素子１２とＦＭラジオチューナ１５２との間の線路の任意の場所に取り付ければよい。よって、インダクタンス素子１５４は、受信装置１５の外部に配置されてもよく、給電線路１４に取り付けてもよいし、ＦＭアンテナ素子１２に取り付けてもよい。
【００４７】
また、図２及び４の例では、給電線路１３の長手方向の全体のうち、ＡＭアンテナ素子１１に近い側はＦＭアンテナ素子１２によってシールドされない構成を示した。しかしながら、ＦＭアンテナ素子１２と絶縁された筒形状を持つ導体によって、給電線路１３のＡＭアンテナ素子１１に近い側についても更にシールドしてもよい。さらに、給電線路１３のＡＭアンテナ素子１１に近い側をシールドする導体を、ＦＭラジオチューナ１５２に接続するとともに、インダクタンス素子１５４を介して接地することで、実施の形態１及び２で述べたＦＭアンテナ素子１２、１２Ａ、１２Ｂと同様に動作させてもよい。また、給電線路１３の長手方向の全体のうち、ＡＭアンテナ素子１１に近い側をＦＭアンテナ素子１２によってシールドし、受信装置１５に近い側をＦＭアンテナ素子１２とは絶縁された筒形状を持つ導体によってシールドしてもよい。また、給電線路１３の長手方向の全体をＦＭアンテナ素子１２によって覆ってもよい。
【００４８】
さらに、本発明は上述した実施の形態のみに限定されるものではなく、既に述べた本発明の要旨を逸脱しない範囲において種々の変更が可能であることは勿論である。
【符号の説明】
【００４９】
１  受信システム
１０  アンテナ部
１１  ＡＭアンテナ素子（第１のアンテナ素子）
１２、１２Ａ、１２Ｂ  ＦＭアンテナ素子（第２のアンテナ素子）
１３  給電線路（第１の給電線路）
１４  給電線路（第２の給電線路）
１５  受信装置
１６  アンテナ端子
２０  フォーンプラグ
１５１  ＡＭラジオチューナ（第１のチューナ部）
１５２  ＦＭラジオチューナ（第２のチューナ部）
１５３  マッチングトランス
１５４  インダクタンス素子
１５５  線路
１５６  接地部
１６１〜１６３  接点金具
２０１  チップ部
２０２  リング部
２０３  スリーブ部
２０４、２０５  絶縁リング
【図１】
2011250156.tif 000003
【図２】
2011250156.tif 000004
【図３】
2011250156.tif 000005
【図４】
2011250156.tif 000006
【図５】
2011250156.tif 000007